(57)【要約】【課題】  基板に搭載されるハウジングの浮きを押さえることができ、基板を保持するための強度を向上させることができること。【解決手段】  コンタクト１１を保持するハウジング２１を基板５１に固定するための補強部材３１は、側板部３２と、側板部３２と隣接しかつ前記基板５１と対向する天板部３３と、前記基板５１に固定する第１の取付部３５と、前記基板５１に固定する第２の取付部３６とを有し、前記第１の取付部３５は前記側板部３２から延設して設けられており、前記第２の取付部３６は前記天板部３２から前記基板５１側に向けて延設された連結部３７の端部に接続されている。【選択図】    図１
2007095565.tif 000002
【特許請求の範囲】
【請求項１】
基板に搭載されて用いるコネクタにおいて、
導電性のコンタクトと、該コンタクトを保持する絶縁性のハウジングと、該ハウジングを前記基板に固定するための補強部材とを有し、
前記補強部材は、前記基板に搭載した状態で前記基板から遠ざかる方向に延びている側板部と、該側板部と隣接しかつ前記基板と対向する天板部と、前記基板に固定する第１の取付部と、前記基板に固定する第２の取付部とを有し、
前記第１の取付部は、相手側コネクタを嵌合する嵌合方向を直交する前記ハウジングの幅方向で前記基板側の前記側板部の端から延設しており、
前記第２の取付部は、前記相手側コネクタとの嵌合側とは反対側で、前記天板部から前記基板側に向けて延設された連結部の端部に接続されていることを特徴とするコネクタ。
【請求項２】
請求項１記載のコネクタにおいて、前記補強部材は、前記相手側コネクタのグランド部と接続するグランド接続部を有することを特徴とするコネクタ。
【請求項３】
請求項１記載のコネクタにおいて、前記補強部材は、前記相手側コネクタのロック部と係合する被ロック部を有することを特徴とするコネクタ。
【発明の詳細な説明】
【技術分野】
【０００１】
本発明は、プリント配線基板のような基板に取り付けてグランド（接地）及びロックするためのコネクタに関する。
【背景技術】
【０００２】
従来技術１としては、配線基板のスルーホール、ボルト挿通用貫通孔にボルトを通しナットを螺合して配線基板に固着し、同時にホールドダウン部材の配線基板固着部を配線基板の導電部に半田により固着する配線基板用コネクタが開示されている（例えば、特許文献１を参照）。
【０００３】
従来技術２としては、取付面を有するハウジングと、ハウジングに固定された導電性ボードロック機構とを備えており、ボードロック機構は、取付面を超えて延びる突出部を有する第１部分と、プリント回路板の接地トレースに接続されるフットを有する第２部分とを備えているプリント回路板に取り付けるための電気コネクタが開示されている（例えば、特許文献２を参照）。
【０００４】
【特許文献１】実用新案登録第２５６３４５５号公報
【特許文献２】特開平８−２１３０７４号公報
【発明の開示】
【発明が解決しようとする課題】
【０００５】
特許文献１では、配線基板のスルーホール、ボルト挿通用貫通孔にボルトを通しナットを螺合して配線基板に固着するので、配線基板にスルーホールを形成する加工や、ボルト、ナットなどの部品を用いることから、加工に手間がかかるとともに、部品点数が多くなるという問題がある。
【０００６】
また、特許文献２では、プリント回路板のボード受入穴にロック式に受け入れられるように取付面を超えて延びる突出部を有する第１部分と、プリント回路板の接地トレースに接続されるフットを有する第２部分とを形成しているので、ボードロック機構の製作が複雑になってしまうという問題がある。
【０００７】
それ故に、本発明の課題は、基板に搭載されて固定されたときの保持強度を向上し、部品点数を削減できるコネクタを提供することにある。
【課題を解決するための手段】
【０００８】
本発明は、基板に搭載されて用いるコネクタにおいて、導電性のコンタクトと、該コンタクトを保持する絶縁性のハウジングと、該ハウジングを前記基板に固定するための補強部材とを有し、前記補強部材は、前記基板に搭載した状態で前記基板から遠ざかる方向に延びている側板部と、該側板部と隣接しかつ前記基板と対向する天板部と、前記基板に固定する第１の取付部と、前記基板に固定する第２の取付部とを有し、前記第１の取付部は、相手側コネクタを嵌合する嵌合方向を直交する前記ハウジングの幅方向で、前記基板側の前記側板部の端から延設しており、前記第２の取付部は、前記相手側コネクタとの嵌合側とは反対側で、前記天板部から前記基板側に向けて延設された連結部の端部に接続されていることを特徴とするコネクタであることを最も主要な特徴とする。
【発明の効果】
【０００９】
本発明のコネクタによれば、基板への半田付けするための補強部材の第２の取付部をハウジングの上面に近い位置から連結部を介して基板側へ形成しているのでハウジングを基板へ保持するための強度を向上させることができる。
【００１０】
また、本発明のコネクタによれば、グランド接続部が補強部材と同じ部材によって一体に作られているので加工しやすく、しかも補強部材の部品点数を削減できる。
【発明を実施するための最良の形態】
【００１１】
本発明のコネクタは、基板に搭載されて用いるコネクタにおいて、導電性のコンタクトと、該コンタクトを保持する絶縁性のハウジングと、該ハウジングを前記基板に固定するための補強部材とを有し、前記補強部材は、前記基板に搭載した状態で前記基板から遠ざかる方向に延びている側板部と、該側板部と隣接しかつ前記基板と対向する天板部と、前記基板に固定する第１の取付部と、前記基板に固定する第２の取付部とを有し、前記第１の取付部は、相手側コネクタを嵌合する嵌合方向を直交する前記ハウジングの幅方向で、前記基板側の前記側板部の端から延設しており、前記第２の取付部は、前記相手側コネクタとの嵌合側とは反対側で、前記天板部から前記基板側に向けて延設された連結部の端部に接続されていることにより実現した。
【実施例１】
【００１２】
図１は、本発明に係るコネクタの実施例１を示している。図２は、コネクタを基板に取り付ける補強部材を示している。図１及び図２を参照して、コネクタ１は、複数本の導電性コンタクト１１と、コンタクト１１を保持する絶縁性のハウジング２１と、ハウジング２１をプリント配線基板のような基板５１に固定するための補強部材３１とを有している。
【００１３】
実施例１に示したコネクタ１は、レセプタクル側コネクタであり、図３及び図４に示すプラグ側コネクタとしての相手側コネクタ６１と接続する。
【００１４】
ハウジング２１は、略長方体形状を呈している。ハウジング２１の前面２２には、大きな溝形状の嵌合部（図４を参照）２３が形成されている。嵌合部２３には、相手側コネクタ６１を嵌合方向Ａ（図３を参照）へ移動することによって相手側コネクタ６１の相手側嵌合部６３と嵌合する。
【００１５】
ハウジング２１には、複数本のコンタクト１１が長手方向に間隔をもって配列されている。コンタクト１１は、嵌合部２３に設けられている接触部（図示せず）と、ハウジング２１の後面２５から外へ延びている端子部１１ａを有している。相手嵌合部６３には、嵌合時に接触部に接触する相手側コンタクト（図示せず）が設けられている。
【００１６】
ハウジング２１の長手方向の両側には、２つの補強部材３１が一対一に組み込まれている。２つの補強部材３１は、これらが同一な形状となっている。なお、補強部材３１は、ホールドダウンとも呼ばれている。ハウジング２１は、コンタクト１１を保持した状態で基板５１に搭載される。コンタクト１１の端子部１１ａは、基板５１に設けられている導電回路パターンのような導電部に半田によって接続される。
【００１７】
図５は、図１に示したコネクタ１のハウジング２１の長手方向の一方側を拡大して示している。図６は、図５に示した補強部材３１をハウジング２１から取り外した状態を示している。図７は、図６に示した補強部材３１を反対側から見た状態を示している。
【００１８】
図５乃至図７をも参照して、補強部材３１は、コネクタ１を基板５１に実装した際に基板５１から遠ざかる方向へ垂直に延びている側板部３２と、側板部３２と隣接し基板５１と対向する天板部３３と、天板部３３に対して平行に位置している底板部３４とを有している。
【００１９】
即ち、天板部３３と底板部３４とは、互いに平行に位置しており、天板部３３の一端辺と底板部３４の一端辺とを側板部３２によって接続している。
【００２０】
さらに、補強部材３１は、基板５１の半田付け部（図示せず）に半田によって接続する第１の取付部３５と、基板５１の半田付け部（図示せず）に半田によって接続する第２の取付部３６と、相手側コネクタ６１の相手側グランド部６４と接続するグランド接続部３８とを有している。
【００２１】
補強部材３１は、導電性の金属板を打ち抜いた後に、曲げ加工を施すことによって製作することができる。第１の取付部３５は、相手側コネクタ６１と嵌合させる嵌合方向Ａを直交するハウジング２１の長手方向（幅方向）で、かつ基板５１面に平行な方向で基板５１側の側板部３２の端から延設している。第２の取付部３６は、相手側コネクタ６１との嵌合側とは反対側で、天板部３２から基板５１側に向けて延設された連結部３７の端部に接続されている。
【００２２】
即ち、補強部材３１では、基板５１の半田付け部分に半田付けするための第２の取付部３６をハウジング２１の上面に近い位置から連結部３７を介して基板５１側へ垂らす形状としている。
【００２３】
したがって、基板５１に半田付けした後の第１の取付部３５はハウジング２１の長手方向の両側に位置しているので、ハウジング２１全体の浮き上がりを防止している。また、基板５１に半田付けした後の第２の取付部３６は、ハウジング２１の後面２５側の浮きを押さえることができ、基板５１を保持するための強度を向上させる役目を果たす。
【００２４】
グランド接続部３８は、嵌合部２３に位置しており、天板部３３よりも底板部３４側へ段落ちした形態で嵌合方向Ａとは逆向きに天板部３３から片持ちバネ状に延びている。したがって、グランド接続部３８は、天板部３３と一体になっている。
【００２５】
相手側コネクタ６１は、相手側ハウジング６２と、相手側ハウジング６２の外面を覆う導電性のシェル７１とを有している。シェル７１によって相手側嵌合部６３が覆われている部分は、相手側グランド部６４となっている。図８に示すように、相手側コネクタ６１の相手側嵌合部６３が嵌合部２３に嵌合したときには、底板部３４とグランド接続部３８との間に相手側嵌合部６３が位置する。このとき、グランド接続部３８は弾性を有しているので、相手側グランド部６４を底板部３４側へ押し付ける状態で相手側グランド部６４に接続する。
【００２６】
さらに、補強部材３１は、図７に示したように、側板部３２に対向する被ロック部３９を有する。被ロック部３９には、嵌合時に相手側コネクタ６１のロック部６５と係合するようにロック穴３９ａが形成されている。
【００２７】
相手側コネクタ６１の相手側嵌合部６３には、長手方向の両側に嵌合部２３の長手方向の両側の隙間に挿入される挿入部６７が設けられている。挿入部６７の外側には、ロック部６５が嵌合方向Ａを直交する方向で出没可能に取り付けられている。  ロック部６５は、相手側コネクタ６１の相手側嵌合部６３が嵌合部２３と嵌合する途中で、被ロック部３９の板厚面に突き当たる。このとき、ロック部６５は、被ロック部３９の板面によって押圧されることによって挿入部６７側へ移動する。
【００２８】
さらに、相手側コネクタ６１の相手側嵌合部６３が嵌合部２３と嵌合したときには、ロック穴３９ａにロック部６５が入り込むと、被ロック部３９の板面による押圧が解除されてロック穴３９ａにロック部６５が嵌合方向Ａとは逆向きの方向への引き抜きができないように係合する。
【００２９】
ロック部６５は、相手側コネクタ６１に設けられている操作部６８を指で持ち、押圧操作することによって、図示しないロック解除機構によってロック部６５が挿入部６７側へ入りこむので、ロック穴３９ａによる係合を解除でき、相手側コネクタ６１をコネクタ１から引き抜くことができる。
【産業上の利用可能性】
【００３０】
本発明のコネクタは、基板と基板とを接続し、嵌合時に相手側コネクタをロックするコネクタとしての用途にも適用できる。
【図面の簡単な説明】
【００３１】
【図１】本発明に係るコネクタを基板に搭載した状態を示す斜視図である（実施例１）。
【図２】図１に示したコネクタの補強部材を示した斜視図である。
【図３】図１に示したコネクタと嵌合する相手側コネクタと補強部材とを示した斜視図である。
【図４】図１に示したコネクタと相手側コネクタの嵌合前の状態を示しており、コネクタのIV-IV線断面図、図３に示した相手側コネクタのV-V線で要部を断面した断面図である。
【図５】図１に示したコネクタの補強部材の一方側の部分を拡大して示した斜視図である。
【図６】図５に示した補強部材の斜視図である。
【図７】図６に示した補強部材を反対側から見た状態を示す斜視図である。
【図８】図４に示したコネクタ及び相手側コネクタの嵌合状態を示す断面図である。
【符号の説明】
【００３２】
１    コネクタ
１１    コンタクト
１１ａ    端子部
２１    ハウジング
２３    嵌合部
３１    補強部材
３２    側板部
３３    天板部
３４    底板部
３５    第１の取付部
３６    第２の取付部
３７    連結部
３８    グランド接続部
３９    被ロック部
３９ａ    ロック穴
５１    基板
６１    相手側コネクタ
６２    相手側ハウジング
６３    相手側嵌合部
６４    相手側グランド部
６５    ロック部
６７    挿入部
７１    シェル
Ａ    嵌合方向
【図１】
2007095565.tif 000003
【図２】
2007095565.tif 000004
【図３】
2007095565.tif 000005
【図４】
2007095565.tif 000006
【図５】
2007095565.tif 000007
【図６】
2007095565.tif 000008
【図７】
2007095565.tif 000009
【図８】
2007095565.tif 000010